(57)【特許請求の範囲】
【請求項１】
商用電源を整流平滑する整流平滑回路と、
ドライブ信号の入力に基づいて前記整流平滑回路の出力電圧を加熱コイルに印加するインバータ回路と、
スタートキーがオンされてから加熱コイルが加熱開始するまでの間に前記整流平滑回路の出力電圧を測定し、加熱開始から所定時間Ｔ1 経過後に前記整流平滑回路の入力電流を測定すると共に前記インバータ回路の出力電圧を測定する計測手段と、
該計測手段にて測定された前記整流平滑回路の入力電流及び前記インバータ回路の出力電圧に基づいて適切な鍋が加熱コイルに載置されているかどうかを判別し、適切な鍋が載置されていると判断したときは、前記入力電流及び出力電圧と前記整流平滑回路の出力電圧とに基づいて加熱コイルの最大出力値を選定し、かつ、選定した最大出力値と予め任意に設定された出力値とを比較して値の低い方を加熱コイルの出力値とする出力値選択手段と、
該出力値選択手段にて選択された出力値に基づいたドライブ信号を生成して前記インバータ回路に入力させる信号制御手段と
を備えたことを特徴とする電磁調理器。
【請求項２】
予め設定された基準電圧と前記整流平滑回路の出力電圧とを比較し、測定電圧が基準電圧より高いときは前記インバータ回路へのドライブ信号の入力を遮断すると共に、電圧変動検出信号を前記信号制御手段に出力する電圧変動検出回路を備え、
前記信号制御手段は、電圧変動検出信号が入力されたときドライブ信号の制御を停止すると共に時間の測定を開始し、測定時間が所定時間Ｔ2 経過する前に電圧変動検出信号の入力が遮断されたときはドライブ信号の制御停止を解除し、電圧変動検出信号の入力が遮断される前に前記測定時間が所定時間Ｔ2 経過したときは、ドライブ信号の制御を無効にすることを特徴とする請求項１記載の電磁調理器。
【請求項３】
前記信号制御手段は、加熱コイルが加熱開始したとき、人間の心拍数の周期と異なる周期でコイル出力をオン・オフさせる信号を生成して前記インバータ回路に入力させ、その信号の入力により、前記整流平滑回路の入力電流が所定値以上になったときは鍋が載置されていると判断して、前記出力値選択手段にて選択された出力値に基づいたドライブ信号を生成し、前記インバータ回路に入力させることを特徴とする請求項１又は２記載の電磁調理器。
【請求項４】
出力設定キーがオンされる毎に加熱コイルの出力値を選択すると共に、選択した出力値が上限或いは下限かどうかを判定し、その出力値が上限或いは下限のときは設定無効信号を出力する出力値判定手段と、
該出力値判定手段にて選択された出力値に応じて点灯表示すると共に予め設定された音を発生し、前記設定無効信号が入力されたときは設定無効の警報を発する表示手段部と
を備えたことを特徴とする請求項１、２又は３記載の電磁調理器。
【発明の詳細な説明】
【０００１】
【発明の属する技術分野】
本発明は、電磁誘導で加熱する電磁調理器に関するものである。
【０００２】
【従来の技術】
従来、電磁調理器は、スタートキーのオンによりインバータ回路が駆動し電磁コイルが加熱を開始する。そして、加熱中の整流平滑回路の入力電流とインバータ回路のトランジスタのコレクタ電圧とをそれぞれ測定して鍋の特性を判断し、トランジスタの熱破壊が起こらないように最大出力を制御していた。
【０００３】
【発明が解決しようとする課題】
前述した従来の電磁調理器では、加熱開始時において商用電源に電圧変動があった場合には入力電流とコレクタ電圧が変化するため、鍋の特性を誤って判断することがあった。鍋の特性を誤った場合には、トランジスタの熱損失が大きくなり、この熱損失によってトランジスタが破壊するということがあった。
【０００４】
また、加熱開始中に過電圧を検出した場合には、初期状態に復帰するため、スタートキーをオンしても動作せず、使用者にとってはこの原因が分からなかった。また、マイクロコンピュータは数十ｍｓの処理速度であるため、タイミングによっては数μs の過電圧を検出できないということがあった。
【０００５】
さらに、鍋の載置の有無を検知するとき、オン時間500ms 、オフ時間500ms を１周期としたドライブ信号でインバータ回路を駆動しているが、この周期は、人間の心拍数の周期と同じであるため、植込み型心臓ペースメーカが人間の心拍数と誤認識して誤動作するということがあった。
【０００６】
また、キー操作にて加熱コイルの出力値が設定されたとき、対応する表示灯を点灯すると共に音で知らせていたが、その設定が上限或いは下限に達しているときに連続してキーをオンしても音が鳴らなかった。この場合、特に音を頼りにしている視覚障害者にとっては音が出なかった場合には故障していると判断してしまい、適切な表示法とはいえなかった。
【０００７】
本発明は、かかる課題を解決するためになされたもので、商用電源に電圧変動があっても鍋の特性を誤ることなく判断でき、また、過電圧が発生しても確実に検出でき、ペースメーカを使用している者が電磁調理器を使用していてもペースメーカが誤動作することなく、さらに、視覚障害者でも正確に加熱コイルの出力値を設定できる電磁調理器を提供することを目的とする。
【０００８】
【課題を解決するための手段】
本発明に係る電磁調理器は、商用電源を整流平滑する整流平滑回路と、ドライブ信号の入力に基づいて整流平滑回路の出力電圧を加熱コイルに印加するインバータ回路と、スタートキーがオンされてから加熱コイルが加熱開始するまでの間に整流平滑回路の出力電圧を測定し、加熱開始から所定時間Ｔ1 経過後に整流平滑回路の入力電流を測定すると共にインバータ回路の出力電圧を測定する計測手段と、計測手段にて測定された整流平滑回路の入力電流及びインバータ回路の出力電圧に基づいて適切な鍋が加熱コイルに載置されているかどうかを判別し、適切な鍋が載置されていると判断したときは、入力電流及び出力電圧と整流平滑回路の出力電圧とに基づいて加熱コイルの最大出力値を選定し、かつ、選定した最大出力値と予め任意に設定された出力値とを比較して値の低い方を加熱コイルの出力値とする出力値選択手段と、出力値選択手段にて選択された出力値に基づいたドライブ信号を生成してインバータ回路に入力させる信号制御手段とを備えたものである。
【０００９】
また、予め設定された基準電圧と前記整流平滑回路の出力電圧とを比較し、測定電圧が基準電圧より高いときは前記インバータ回路へのドライブ信号の入力を遮断すると共に、電圧変動検出信号を前記信号制御手段に出力する電圧変動検出回路を備え、前記信号制御手段は、電圧変動検出信号が入力されたときドライブ信号の制御を停止すると共に時間の測定を開始し、測定時間が所定時間Ｔ2 経過する前に電圧変動検出信号の入力が遮断されたときはドライブ信号の制御停止を解除し、電圧変動検出信号の入力が遮断される前に前記測定時間が所定時間Ｔ2 経過したときは、ドライブ信号の制御を無効にするようにしたものである。
【００１０】
また、信号制御手段は、加熱コイルが加熱開始したとき、人間の心拍数の周期と異なる周期でコイル出力をオン・オフさせる信号を生成してインバータ回路に入力させ、その信号の入力により、整流平滑回路の入力電流が所定値以上になったときは鍋が載置されていると判断して、出力値選択手段にて選択された出力値に基づいたドライブ信号を生成し、インバータ回路に入力させる。
【００１１】
さらに、本発明は、出力設定キーがオンされる毎に加熱コイルの出力値を選択すると共に、選択した出力値が上限或いは下限かどうかを判定し、その出力値が上限或いは下限のときは設定無効信号を出力する出力値判定手段と、該出力値判定手段にて選択された出力値に応じて点灯表示すると共に予め設定された音を発生し、前記設定無効信号が入力されたときは設定無効の警報を発する表示手段部とを備えたものである。
【００１２】
【発明の実施の形態】
実施形態１．
図１は本発明の第１の実施形態を示す電磁調理器の回路図、図２は第１の実施形態における加熱コイルの最大出力の設定を説明するための図、図３は第１の実施形態の動作を示すフローチャート、図４は過電圧を検出したときの動作を示すフローチャートである。
【００１３】
図１において、１は高調波を除去するフィルタで、商用電源の線間に設けられた一対のコンデンサＣ１，Ｃ２と、その一対のコンデンサＣ１，Ｃ２の間に設けられ、商用電源の各線路上にそれぞれ接続されたコイルＬ１とからなっている。２は全波整流回路、３はチョークコイルＬ２とコンデンサＣ３とからなる平滑回路、Ｒ１，Ｒ２は整流平滑された商用電源の電圧を分圧する抵抗で、この電圧は電圧ＶACとして後述の計測部１０に入力する。５はインバータ回路で、ドライブ信号（パルス）の入力に基づいてオン・オフするトランジスタＴr1と、トランジスタＴr1に並列に接続されたダイオードＤ１と、ベース・エミッタ間にそれぞれ接続された抵抗Ｒ3 及びツェナダイオードＤz とから構成されている。
【００１４】
Ｔr2は後述する信号制御部１２の出力信号（コイル出力）に基づいてドライブ信号をオン／オフ制御するトランジスタで、ベースが抵抗Ｒ５を介して５Ｖ電源に接続されていると共に信号制御部１２に抵抗Ｒ６を介して接続され、コレクタが抵抗Ｒ４を介してインバータ回路５のトランジスタＴr1のベース側に接続されている。６は電流検出器ＣＴの検出電流を整流する整流回路、Ｃ４は整流された検出電流を平滑する平滑コンデンサで、この直流の検出電流は電流ＣＴ1 として計測部１０に制限抵抗Ｒ８を介して入力する。
【００１５】
７は電圧変動検出回路で、５Ｖ電源を分圧して基準電圧とする抵抗Ｒ９，Ｒ１０と、整流平滑された商用電源の電圧を分圧する抵抗Ｒ１１，Ｒ１２と、反転入力端子がＲ１１，Ｒ１２の接続点に、非反転入力端子が抵抗Ｒ９，Ｒ１０の接続点にそれぞれ接続され、出力端子が抵抗Ｒ１４及びダイオードＤ２を介してインバータ回路５のトランジスタＴr1のベース側に接続されていると共に、制限抵抗Ｒ１５を介して信号制御部１２に接続されたコンパレータＩＣと、抵抗Ｒ１２に並列に接続されたコンデンサＣ５とからなり、抵抗Ｒ１１，Ｒ１２にて分圧された商用電源の電圧Ｖ1 が基準電圧以上のとき出力（電圧変動検出信号）をローレベルに反転してインバータ回路５へのドライブ信号の入力を遮断する。
【００１６】
Ｒ１６，Ｒ１７はインバータ回路５のトランジスタＴr1のコレクタ電圧を分圧する抵抗で、この分圧された電圧はコレクタ電圧ＶCEとして計測部１０に制限抵抗Ｒ１８を介して入力する。８はブザー回路で、ベースが制限抵抗Ｒ２０を介して信号制御部１２に接続されたトランジスタＴr3と、一端がそのトランジスタＴr3のコレクタに接続されたブザーＢｚと、一端がそのブザーＢｚに、他端が電圧変動検出回路７の５Ｖ電源にそれぞれ接続された抵抗Ｒ１９とからなっている。
【００１７】
９は制御部で、例えばマイクロコンピュータからなり、図示せぬスタートキーがオンされてから加熱コイル４が加熱開始するまでの間、抵抗Ｒ１，Ｒ２で分圧された商用電源の電圧ＶACを測定し、加熱開始から所定時間Ｔ1 例えば500ms 経過後に電流検出器ＣＴで検出された電流ＣＴ1 を測定すると共に、Ｒ１６，Ｒ１７の分圧のコレクタ電圧ＶCEを測定する計測部１０と、計測部１０にて測定された電圧ＶACと電流ＣＴ1 及びコレクタ電圧ＶCEとに基づいて加熱コイル４の最大出力値を選定し（図２参照）、かつ、選定した最大出力値と予め手動にて設定された出力値とを比較して値の低い方を加熱コイル４の出力値とする出力値選択部１１と、出力値選択部１１にて選択された出力値に基づいてドライブ信号を制御し、電圧変動検出回路７の出力がローレベルになったときはドライブ信号の制御を一時的に停止すると共に時間の測定を開始し、測定時間が所定時間Ｔ3 例えば１s 経過する前に前記出力がローレベルからハイレベルに反転したときドライブ信号の制御停止を解除し、前記出力がローレベルからハイレベルに反転する前に１s 経過したときはドライブ信号の制御を停止して初期状態にする信号制御部１２とから構成されている。
【００１８】
前述した出力値選択部１１は、最大出力値を選択する際、図２に示すように、測定されたコレクタ電圧ＶCEが400V未満か、或いは400V以上かどうかを判定する。例えば、コレクタ電圧ＶCEが400V未満のときは電流ＣＴ1 がＡ，Ｂ，Ｃ段のうちいずれの段に当てはまるかどうかを判定し、Ｂ段と判断したときは電圧ＶACに基づいて最大出力値を選定し、その結果の出力値を信号制御部１２に出力する。
【００１９】
また、コレクタ電圧ＶCE及び電流ＣＴ1 が共にＤ段に位置するときは適切な鍋が加熱コイル４に載置されていないと判断して「鍋サイン」を選定して、加熱停止信号を信号制御部１２に出力すると共に前記測定値を全てクリアする。そして、再び、計測部１０にて測定された電圧ＶACを入力し、次いでコレクタ電圧ＶCE及び電流ＣＴ1 を入力し最大出力値の選定に入る。この動作は、「鍋サイン」を選定する毎に繰り返し行い、その動作が１分以上継続して行われた場合は、その旨を表示部（図示せぬ）に表示すると共にスタートキーをオフして終了する。
【００２０】
前記のように構成された電磁調理器の動作を図３及び図４のフローチャートに基づいて説明する。まず、図３のフローチャートに基づいて加熱コイルの出力値設定時の動作を説明する。
【００２１】
スタートキーがオンされると（Ｓ１）、信号制御部１２は、コイル出力をローレベルにしてインバータ回路５にドライブ信号を入力させ、計測部１０は、スタートキーのオンから加熱コイル４が加熱開始するまでの間に、抵抗Ｒ１，Ｒ２にて分圧された商用電源の電圧ＶACを測定し（Ｓ２）、加熱開始から時間の測定を開始して時間Ｔ1 （500ms ）を経過したかどうかを判定する（Ｓ３）。一方、信号制御部１２は、加熱コイルが加熱開始したとき、500ms の間パルス幅１５μｓのドライブ信号をインバータ回路５に入力させ、その時間経過後はドライブ信号の入力を500ms の間遮断し、これを繰り返し実行する。計測部１０は、前記測定時間が500ms を経過したことを確認すると、電流検出器ＣＴを通して電流ＣＴ1 を測定し（Ｓ４）、次いで抵抗Ｒ１６，Ｒ１７にて分圧されたコレクタ電圧ＶCEを測定して保持する（Ｓ５）。
【００２２】
電圧ＶAC、電流ＣＴ1 及びコレクタ電圧ＶCEが測定されると、出力値選択部１１がこれらの測定値に基づいて最大出力値の選定に入る（Ｓ６）。このとき、「鍋サイン」を選定したかどうかを判定し（Ｓ７）、「鍋サイン」を選定した場合には、加熱開始から１分経過したかどうかを判定し（Ｓ１３）、１分経過していたときはスタートキーをオフしてこの動作を終了するが（Ｓ１６）、１分経過していないときは加熱停止信号を信号制御部１２に出力すると共に、保持した前記電圧ＶAC、電流ＣＴ1 及びコレクタ電圧ＶCEをクリアする（Ｓ１４，Ｓ１５）。そして、再び計測部１０で測定された電圧ＶACを入力し（Ｓ２）、引き続き500ms 経過後にコレクタ電圧ＶCE及び電流ＣＴ1 を入力し最大出力値の選定に入る（Ｓ３〜Ｓ６）。
【００２３】
この動作を繰り返すうちに最適な最大出力値が選定されると、出力値選択部１１は、選定した最大出力値と予め手動にて設定された出力値とを比較する（Ｓ８）。最大出力値の方が低いときはその値を加熱コイル４の出力値として設定し（Ｓ９）、手動にて設定された出力値の方が低いときはその出力値を加熱コイル４の出力値として設定し（Ｓ１０）、その結果を信号制御部１２に出力する。信号制御部１２は、出力値選択部１１にて選択された出力値が得られるようにトランジスタＴr2を介してドライブ信号を制御し（Ｓ１１）、インバータ回路５に入力させる。このとき、出力値選択部１１は、手動の出力値が変更されたかどうかを判定しており（Ｓ１２）、変更された場合はステップ８に戻って最大出力値と比較するが、手動の出力値が変更されていないときはその旨を信号制御部１２に通知する。
【００２４】
次に、選択された出力値に基づく加熱制御中に電源電圧が変動したときの動作を図４のフローチャートに基づいて説明する。
加熱制御中（Ｓ２１）、電圧変動検出回路７は、分圧された商用電源の電圧Ｖ1 を入力して基準電圧と比較しており（Ｓ２２，Ｓ２３）、その電圧Ｖ1 が例えば190 Ｖ以上のときは、出力のレベルをローレベルに反転して、信号制御部１２で制御されているドライブ信号のインバータ回路５への入力を遮断する（Ｓ２４）。信号制御部１２は、電圧変動検出回路７の出力がローレベルに反転したとき、コイル出力のレベルをハイレベルに反転してトランジスタＴr2をオフし、ドライブ信号の制御を一時的に停止すると共に、時間の計測を開始する（Ｓ２５，Ｓ２６）。そして、測定時間が１s 経過したかどうかを判定し（Ｓ２７）、測定時間が１s 経過したときはステップ３０に進むが、測定時間が１s 経過していないときは電圧変動検出回路７の出力がハイレベルに反転したかどうかを判定する（Ｓ２８）。その出力が反転していないときはステップ２７に戻って再び時間の経過を確認するが、前記出力がハイレベルに反転したことを確認したときは加熱一時停止を解除する（Ｓ２９）。このとき、電圧変動検出回路７は、電圧Ｖ1 を検出して基準電圧との比較に入る（Ｓ２２）。
【００２５】
信号制御部１２は、ステップ２７において測定時間が１s 経過したことを確認したときは、ブザー回路８のトランジスタＴr3をオンしてブザーＢz を鳴動させ（Ｓ３０）、選択された出力値に基づく加熱制御停止、即ちコイル出力をハイレベルに反転してドライブ信号をオフし（Ｓ３１）、次いでこの制御を初期状態に戻して終了する（Ｓ３２）。
【００２６】
第１の実施形態においては、スタートキーがオンされてから加熱コイル４が加熱開始するまでの間に商用電源の電圧ＶACを測定し、加熱開始から500ms 経過後に電流検出器ＣＴの電流ＣＴ1 及びコレクタ電圧ＶCEを測定して、これら測定値に基づいて最大出力値を選定し、かつ、この最大出力値と予め手動にて設定された出力値とを比較して値の低い方を加熱コイル４の出力値とするようにしたので、商用電源に電圧変動が発生しても鍋の特性を誤ることなく特定でき、しかも鍋特性の特定が正確になるために熱損失によるトランジスタＴr1の破壊を防止できるという効果がある。
【００２７】
また、数十μs の速度の過電圧が発生した場合、電圧変動検出回路７が出力をローレベルに反転してドライブ信号のインバータ回路５への入力を遮断し、信号制御部１２がその出力を認識したとき、コイル出力をハイレベルにして加熱を停止すると同時に時間を測定して、その時間が時間Ｔ2 経過する前に電圧変動検出回路７の出力がハイレベルに反転したときは加熱制御の停止を解除し、電圧変動検出回路７の出力がハイレベルに反転する前に前記測定時間が時間Ｔ2 を経過したときは加熱制御を初期状態に戻すようにしたので、従来、数十ms以上の過電圧しか対処できないということがなくなるという効果がある。
【００２８】
実施形態２．
前記実施形態では、加熱コイル４が加熱開始したとき、インバータ回路５に入力するドライブ信号の時間を500ms 、その遮断時間500ms とし、これを繰り返すことについて述べたが、その時間に代えて入力時間を２s 、遮断時間を１s とし、これを繰り返すようにしても良い。
【００２９】
図５は加熱コイルの出力値設定時のドライブ信号の生成を説明するフローチャートであり、スタートキーがオンされてから加熱コイル４が加熱開始したとき、信号制御部１２は、ドライブ信号を２s 間インバータ回路５に入力させ、その時間経過後に１s 間遮断し、これを繰り返すようにしている。このドライブ信号の制御は、鍋が加熱コイル４に載置されているかどうかを判定するためのもので、電流検出器ＣＴの電流ＣＴ1 が４Ａ以上のとき鍋が載置されていると判断する。次に動作を説明する。信号制御部１２は、スタートキーがオンされてから加熱コイル４が加熱開始すると（Ｓ４１）、コイル出力のレベルをローレベルにしてトランジスタＴr2をオフし（Ｓ４２）、ドライブ信号をインバータ回路５に入力させる。このとき、時間の測定を開始すると共に、電流検出器ＣＴの電流ＣＴ1 が４Ａ以上かどうかを判定する（Ｓ４３，Ｓ４４）。検出電流ＣＴ1 が４Ａ未満のときは測定時間が２s 経過したかどうかを判定し（Ｓ４５）、測定時間が２s 経過しているときはステップ４６に進むが、２s 経過していないときはステップ４４に戻って、再び検出電流ＣＴ1 が４Ａ以上かどうかを判定する。このステップ４４，４５の繰り返しは検出電流ＣＴ1 が４Ａ以上になるまで、或いは測定時間が２s 経過するまで行われる。
【００３０】
ステップ４５において測定時間が２s 経過したときはコイル出力をローレベルからハイレベルに反転してトランジスタＴr2をオンし（Ｓ４６）、ドライブ信号のインバータ回路５への入力を遮断して加熱を停止し（Ｓ４７）、その状態を１s 待機する（Ｓ４８）。そして、１s 経過すると、ステップ４２に戻ってコイル出力のレベルをハイレベルからローレベルに反転し、時間の計測に入る（Ｓ４３）。この動作を繰り返すことによってドライブ信号が１s おきに２s 間インバータ回路５に入力される。このドライブ信号の入力により、検出電流ＣＴ1 が４Ａ以上になると、信号制御部１２は、測定時間をクリアし（Ｓ４９）、出力値選択部１１にて選択された加熱コイルの出力値に基づいてドライブ信号の制御に入り（Ｓ５０）、この動作を終了する。
【００３１】
第２の実施形態においては、加熱開始後の鍋検知の際、ドライブ信号を２s 間インバータ回路５に入力させ、その後１s 間遮断し、これを繰り返すようにしたので、植込み型心臓ペースメーカを保持している人が本電磁調理器を用いてもペースメーカが誤動作するということがなくなるという効果がある。
【００３２】
実施形態３．
図６は本発明の第３の実施形態を示すブロック図、図７は第３の実施形態における動作を示すフローチャートである。なお、図１で説明した第１の実施形態と同一又は相当部分には同じ符号を付し説明を省略する。
【００３３】
図において、１３は低出力設定キー、１４は高出力設定キーで、１５は出力値判定部で、例えばマイクロコンピュータが備えており、前記設定キー１３，１４がオンされる毎に加熱コイルの出力値を選択すると共にその旨を出力値選択部１１に出力し、かつ、選択した出力値が上限或いは下限かどうかを判定し、出力値が上限或いは下限のときは設定無効信号を出力する。
【００３４】
１６は表示部で、出力値判定部１５にて選択された出力値に応じて点灯部１６ａを点灯すると共に音を発生する。例えば、点灯部１６ａが「強」の方向に点灯するにつれ0.2sの間「ピッ」という音を発生し、点灯部１６ａが「とろ火」の方向に点灯するつれ0.2sの間「プッ」という音を発生する。また、設定無効信号の入力により「強」の点灯部１６ａが点灯したときは例えば0.5sの間「ピィー」という音を発生し、設定無効信号の入力により「とろ火」の点灯部１６ａが点灯したときは例えば0.5sの間「プー」という音を発生する。
【００３５】
次に、図７のフローチャートに基づいて動作を説明する。
出力値判定部１５は、出力設定キーがオンされると（Ｓ６１）、高出力設定キー１４かどうかを判定する（Ｓ６２）。高出力設定キー１４のときは現行の設定が「強」かどうかを判定し（Ｓ６３）、現行の設定が「強」のときは設定無効信号を出力するが（Ｓ６６）、その設定が「強」でないときは0.2sの間「ピッ」という音を表示部１６に発生させると共に、点灯部１６ａの点灯を１段上げさせ（Ｓ６４，Ｓ６５）、ステップ６１に戻る。また、現行の設定が「強」のときは設定無効信号を表示部１６に出力して0.5sの間「ピィー」という音を発生させ（Ｓ６６，Ｓ６７）、ステップ６１に戻る。
【００３６】
また、出力値判定部１５は、ステップ６２において低出力設定キーのオンを確認したときは、現行の設定は「とろ火」かどうかを判定し（Ｓ６８）、現行の設定が「とろ火」でないときは0.2sの間「プッ」という音を表示部１６に発生させると共に、点灯部１６ａの点灯を１段下げさせ（Ｓ６９，Ｓ７０）、ステップ６１に戻る。また、現行の設定が「とろ火」のときは設定無効信号を表示部１６に出力して0.5sの間「プー」という音を発生させ（Ｓ７１，Ｓ７２）、ステップ６１に戻る。
【００３７】
第３の実施形態においては、高出力設定キーのオンにより上限の「強」が選択されたとき、また、逆に低出力設定キーのオンにより下限の「とろ火」が選択されたときそれぞれ異なる音を発生するようにしたので、視覚障害者でも設定の無効を認識できるという効果がある。
【００３８】
【発明の効果】
以上のように本発明によれば、スタートキーがオンされてから加熱コイルが加熱開始するまでの間に整流平滑回路の出力電圧を測定し、加熱開始から所定時間Ｔ1 経過後に整流平滑回路の入力電流を測定すると共にインバータ回路の出力電圧を測定し、その測定された整流平滑回路の入力電流及びインバータ回路の出力電圧に基づいて適切な鍋が加熱コイルに載置されているかどうかを判別し、適切な鍋が載置されていると判断したときは、入力電流及び出力電圧と整流平滑回路の出力電圧とに基づいて加熱コイルの最大出力値を選定し、かつ、選定した最大出力値と予め任意に設定された出力値とを比較して値の低い方を加熱コイルの出力値とするようにしたので、商用電源に電圧変動が発生しても鍋の特性を誤ることなく特定でき、しかも鍋特性の特定が正確になるため、熱損失によるインバータ回路のトランジスタの破壊を防止できるという効果がある。
【００３９】
また、過電圧が発生した場合、電圧変動検出回路がドライブ信号のインバータ回路への入力を遮断すると共に電圧変動検出信号を信号制御手段に出力し、信号制御手段は、電圧変動検出信号が入力されたときドライブ信号の制御を停止すると共に時間の測定を開始し、測定時間が所定時間Ｔ2 経過する前に電圧変動検出信号の入力が遮断されたときはドライブ信号の制御停止を解除し、電圧変動検出信号の入力が遮断される前に測定時間が所定時間Ｔ2 経過したときは、ドライブ信号の制御を無効にするようにしたので、過電圧が数十ms、数μｓの何れであっても確実に検出してインバータ回路を保護でき、しかも過電圧が印加されているときにスタートキーをオンしても動作しないということがなくなるという効果がある。
【００４０】
さらに、加熱コイルが加熱開始したとき、加熱コイルが加熱開始したとき、人間の心拍数の周期と異なる周期でコイル出力をオン・オフさせる信号を生成してインバータ回路に入力させ、その信号の入力により、整流平滑回路の入力電流が所定値以上になったときは鍋が載置されていると判断して、出力値選択手段にて選択された出力値に基づいたドライブ信号を生成し、インバータ回路に入力させるようにしたので、ペースメーカが誤動作するということがなくなるという効果がある。
【００４１】
さらにまた、火力設定キーの設定により出力値の上限或いは下限が設定されたとき無効の警報を発するようにしたので、視覚障害者でもその状態が識別できるという効果がある。
【図面の簡単な説明】
【図１】  本発明の第１の実施形態を示す電磁調理器の回路図である。
【図２】  第１の実施形態における加熱コイルの最大出力の設定を説明するための図である。
【図３】  第１の実施形態の動作を示すフローチャートである。
【図４】  過電圧を検出したときの動作を示すフローチャートである。
【図５】  加熱コイルの出力値設定時のドライブ信号の生成を説明するフローチャートである。
【図６】  本発明の第３の実施形態を示すブロック図である。
【図７】  第３の実施形態における動作を示すフローチャートである。
【符号の説明】
１  フィルタ、２  全波整流回路、３  平滑回路、４  加熱コイル、５  インバータ回路、７  電圧変動検出回路、８  ブザー回路、９  制御部、１０  計測部、１１  出力値選択部、１２  信号制御部。
【図１】
0003760290.tif 000002
【図２】
0003760290.tif 000003
【図３】
0003760290.tif 000004
【図４】
0003760290.tif 000005
【図５】
0003760290.tif 000006
【図６】
0003760290.tif 000007
【図７】
0003760290.tif 000008